(57)【要約】【課題】利用者が再生機器一覧画面でコンテンツの種別情報を取得する。【解決手段】複数の再生機器に接続可能な表示機器は、表示部と、表示部を制御する表示制御部と、を備える。表示制御部は、表示部において複数の再生機器のうちの一つの再生機器で再生中のコンテンツを表示するコンテンツ表示画面から、複数の再生機器を一覧表示する再生機器一覧画面に切り替える際に、コンテンツを再生中の再生機器にコンテンツのタイトル画面を表示させ、タイトル画面を含む再生機器一覧画面を表示部に表示する一覧表示制御を実行する。【選択図】図４
2018186423.tif 000002
【特許請求の範囲】
【請求項１】
複数の再生機器に接続可能な表示機器であって、
表示部と、
前記表示部を制御する表示制御部と、
を備え、
前記表示制御部は、
前記表示部において前記複数の再生機器のうちの一つの再生機器で再生中のコンテンツを表示するコンテンツ表示画面から、前記複数の再生機器を一覧表示する再生機器一覧画面に切り替える際に、前記コンテンツを再生中の再生機器にコンテンツのタイトル画面を表示させ、前記タイトル画面を含む前記再生機器一覧画面を前記表示部に表示する一覧表示制御を実行する、
表示機器。
【請求項２】
請求項１に記載の表示機器において、
前記表示制御部は、前記一覧表示制御を実行した後に、前記再生機器一覧画面の画像データを格納するフレームメモリーにおいて、前記タイトル画面に対応する領域の更新頻度を他の領域の更新頻度よりも減少させる、
表示機器。
【請求項３】
請求項２に記載の表示機器において、更に、前記複数の再生機器の再生動作を制御可能な機器制御プロトコルに準拠しない非対応再生機器に接続可能であり、
前記再生機器一覧画面には、更に、前記非対応再生機器が表示する非対応再生機器表示画面が表示され、
前記他の領域は、前記非対応再生機器表示画面に対応する領域を含む、
表示機器。
【請求項４】
複数の再生機器に接続可能な表示機器における再生制御方法であって、
前記複数の再生機器のうちの一つの再生機器で再生中のコンテンツを表示するコンテンツ表示画面から、前記複数の再生機器を一覧表示する再生機器一覧画面に切り替える際に、前記コンテンツを再生中の再生機器にコンテンツのタイトル画面を表示させ、前記タイトル画面を含む前記再生機器一覧画面を表示する一覧表示制御を実行するステップを含む、
再生制御方法。
【請求項５】
請求項４に記載の再生制御方法において、更に、
前記一覧表示制御を実行した後に、前記再生機器一覧画面の画像データを格納するフレームメモリーにおいて、前記タイトル画面に対応する領域の更新頻度を他の領域の更新頻度よりも減少させるステップを含む、
再生制御方法。
【請求項６】
請求項５に記載の再生制御方法において、
前記表示機器は、更に、前記複数の再生機器の再生動作を制御可能な機器制御プロトコルに準拠しない非対応再生機器に接続可能であり、
前記再生機器一覧画面には、更に、前記非対応再生機器が表示する非対応再生機器表示画面が表示され、
前記他の領域は、前記非対応再生機器表示画面に対応する領域を含む、
再生制御方法。
【発明の詳細な説明】
【技術分野】
【０００１】
本発明は、接続された再生機器の再生動作を制御する表示機器およびその制御方法に関するものである。
【背景技術】
【０００２】
特許文献１には、複数の接続機器が接続された表示装置が開示されている。この表示装置は、各接続機器の状態情報を取得し、入力切換メニューで各接続機器の状態情報を一覧表示する。
【先行技術文献】
【特許文献】
【０００３】
【特許文献１】特開２００８−８５７０３号公報
【発明の概要】
【発明が解決しようとする課題】
【０００４】
しかしながら、従来の入力切換メニューでは、各再生機器を選択するための情報が十分に表示されないという問題があった。
【課題を解決するための手段】
【０００５】
本発明は、上述の課題の少なくとも一部を解決するためになされたものであり、以下の形態として実現することが可能である。
【０００６】
（１）本発明の一形態によれば、複数の再生機器に接続可能な表示機器が提供される。この表示機器は、表示部と、前記表示部を制御する表示制御部と、を備える。前記表示制御部は、前記表示部において前記複数の再生機器のうちの一つの再生機器で再生中のコンテンツを表示するコンテンツ表示画面から、前記複数の再生機器を一覧表示する再生機器一覧画面に切り替える際に、前記コンテンツを再生中の再生機器にコンテンツのタイトル画面を表示させ、前記タイトル画面を含む前記再生機器一覧画面を前記表示部に表示する一覧表示制御を実行する。
この形態の表示機器によれば、表示制御部が、表示部においてコンテンツ表示画面から再生機器一覧画面に切り替える際にコンテンツ再生中の再生機器にコンテンツのタイトル画面を表示させて表示部に表示するので、利用者が再生機器一覧画面でコンテンツの種別情報を取得できる。
【０００７】
（２）上記形態の表示機器において、前記表示制御部は、前記一覧表示制御を実行した後に、前記再生機器一覧画面の画像データを格納するフレームメモリーにおいて、前記タイトル画面に対応する領域の更新頻度を他の領域の更新頻度よりも減少させるようにしてもよい。
この形態の表示機器によれば、表示制御部が一覧表示制御実行後にフレームメモリーにおいてタイトル画面に対応する領域の更新頻度を他の領域の更新頻度よりも減少させるので、表示機器の表示負荷を低減できる。
【０００８】
（３）上記形態の表示機器において、更に、前記複数の再生機器の再生動作を制御可能な機器制御プロトコルに準拠しない非対応再生機器に接続可能であり、前記再生機器一覧画面には、更に、前記非対応再生機器が表示する非対応再生機器表示画面が表示され、前記他の領域は、前記非対応再生機器表示画面に対応する領域を含むものとしてもよい。
この形態の表示機器によれば、表示制御部が一覧表示制御実行後にフレームメモリーにおいてタイトル画面に対応する領域の更新頻度を非対応再生機器表示画面に対応する領域の更新頻度よりも減少させるので、表示機器の表示負荷を低減できる。
【０００９】
本発明は、上記以外の種々の形態で実現することも可能である。例えば、表示機器における再生制御方法等の形態で実現することができる。
【図面の簡単な説明】
【００１０】
【図１】本発明の一実施形態における表示機器の概略構成図。
【図２】表示機器の構成を示すブロック図。
【図３】コンテンツ表示画面の様子を示す図。
【図４】再生機器一覧画面の様子を示す図。
【図５】コンテンツ表示画面から再生機器一覧画面に切り替えるフローチャート。
【図６】再生機器一覧画面に切り替えた後のフレームメモリーの様子を示す図。
【発明を実施するための形態】
【００１１】
図１は、本発明の第１実施形態における表示機器１００と複数の再生機器２００〜５００の概略構成図である。表示機器１００は、複数の再生機器２００〜５００に接続され、再生機器２００〜５００で再生中のコンテンツを表示するための機器である。図１の例では、表示機器１００は、プロジェクターを採用している。この他、例えばＴＶやモニター、ＰＣ等も表示機器１００として採用可能である。表示機器１００で表示されたコンテンツの映像は、スクリーン９００に投写される。
【００１２】
表示機器１００と複数の再生機器２００〜５００との接続は、例えばＨＤＭＩ（High Definition Multimedia Interface：登録商標）規格や、ＭＨＬ（Mobile High-definition Link）規格に準拠する。また、表示機器１００は、接続された再生機器の再生動作を制御可能な機器制御プロトコルに準拠している。機器制御プロトコルとしては、例えば、ＨＤＭＩ規格に対応したＣＥＣ（Consumer Electronics Control）や、ＭＨＬ規格に対応したＲＣＰ（Remote Control Protocol）が採用される。
【００１３】
複数の再生機器２００〜５００は、コンテンツを再生するための機器である。再生機器２００〜４００は、表示機器１００と同一の機器制御プロトコルに準拠している。再生機器５００は、機器制御プロトコルに準拠しない非対応再生機器である。図１の例では、再生機器２００，３００はＤＶＤプレイヤーであり、再生機器４００はＢＤプレーヤー（ブルーレイディスクプレーヤー）であり、再生機器５００はタブレットＰＣである。但し、再生機器５００は、省略してもよい。なお、この例では、再生機器２００〜５００が有線で表示機器１００と接続しているが、無線で表示機器１００と接続してもよい。
【００１４】
再生機器２００〜５００は、再生中のコンテンツの映像データを表示機器１００に送信する。一方、再生機器２００〜４００は、表示機器１００からの制御信号によってコンテンツのタイトル画面を表示することができる。なお、利用者はリモートコントローラー６００を介して表示機器１００に指示を出すことによって、後述するコンテンツ表示画面から再生機器一覧画面に切り替えることができる。
【００１５】
図２は、表示機器１００の構成を示すブロック図である。表示機器１００は、表示部１１０と、表示部１１０を制御する表示制御部１２０と、フレームメモリー１３０と、外部インターフェース装置１４０とを備える。
【００１６】
外部インターフェース装置１４０は、再生機器２００〜５００と接続しており、各再生機器２００〜４００から送信された再生中のコンテンツの映像データを受け付けて、表示制御部１２０に送信する。また、外部インターフェース装置１４０は、表示制御部１２０からの制御信号を各再生機器２００〜４００に送信する。
【００１７】
表示制御部１２０は、例えばマイクロコンピューターによって構成され、外部インターフェース装置１４０で受信したコンテンツの映像データをフレームメモリー１３０に書き込む処理を実行する。また、フレームメモリー１３０に書き込まれたデータを表示部１１０に送信して表示させる。なお、表示制御部１２０は、再生機器２００〜４００を制御するための制御信号を、機器制御プロトコルに従って外部インターフェース装置１４０に送信する。また、表示制御部１２０は、リモートコントローラー６００（図１）からの指示を受けて動作可能である。
【００１８】
表示部１１０は、表示制御部１２０から送信されたコンテンツの映像データを表示するとともに、表示されたコンテンツの映像をスクリーン９００（図１）に投写する。表示部１１０は、照明光学系と、色光分離光学系と、光の３原色（赤（Ｒ）、緑（Ｇ）、青（Ｂ））のそれぞれに対応する光変調部としての３つの透過型の液晶パネル部と、ダイクロイックプリズムと、投写光学系と、によって構成されている。照明光学系によって射出された白色光が、色光分離光学系によって、赤、緑、青の３つの色光に分離される。分離された３つの色光は、色光分離光学系によって液晶パネル部に導かれて、画像を表す画像光へと変調される。ダイクロイックプリズムが変調された３つの画像光を合成し、投写光学系は、合成された画像光をスクリーン９００に投写する。なお、表示部１１０の投写表示方式として、上述した液晶方式を用いる代わりに、ＤＬＰ（登録商標）方式を用いてもよい。
【００１９】
図３は、表示部１１０でコンテンツ表示画面ＣＤＳが表示されている様子を示す図である。図示の便宜上、リモートコントローラー６００を描いており、利用者が操作したボタンをハッチングしている。図３では、表示部１１０において、複数の再生機器２００〜５００のうちの一つの再生機器２００で再生中のコンテンツの映像Ｍ２００を表示するコンテンツ表示画面ＣＤＳが表示されている。この際、各再生機器２００〜５００の状態としては、例えば、再生機器２００（ＤＶＤプレイヤー）はコンテンツ再生中であり、再生機器３００（ＤＶＤプレイヤー）はコンテンツを入れた状態で待機中であり、再生機器４００（ＢＤプレイヤー）はホーム画面で待機中であり、再生機器５００（タブレットＰＣ）はデスクトップ画面で待機中である。利用者がリモートコントローラー６００の再生機器一覧ボタン６１０を押すと、表示部１１０はコンテンツ表示画面ＣＤＳから再生機器一覧画面に切り替える。
【００２０】
図４は、表示部１１０で再生機器一覧画面ＤＬＳが表示されている様子を示す図である。再生機器一覧画面ＤＬＳは、複数の再生機器２００〜５００を一覧表示する画面である。図３に示すコンテンツ表示画面ＣＤＳから再生機器一覧画面ＤＬＳに切り替える際に、再生機器２００が表示機器１００の制御信号を受けて再生を停止し、タイトル画面ＴＳ２００を表示する。再生機器３００も同様に、表示機器１００の制御信号を受けて、タイトル画面ＴＳ３００を表示する。再生機器４００は、表示機器１００の制御信号を受けて、そのままホーム画面ＨＳ４００を表示する。一方、機器制御プロトコルに準拠しない非対応再生機器である再生機器５００は、表示機器１００の制御信号を受けず、引き続きデスクトップ画面ＰＤ５００（非対応再生機器表示画面）を表示する。
【００２１】
図５は、図３に示すコンテンツ表示画面ＣＤＳから図４に示す再生機器一覧画面ＤＬＳに切り替える際のフローチャートの一例である。ステップＳ１００において、利用者は、リモートコントローラー６００の再生機器一覧ボタン６１０を押すことによって、表示機器１００の表示制御部１２０（図２）に再生機器一覧画面ＤＬＳの表示指示を出す。
【００２２】
ステップＳ２００において、表示制御部１２０は、利用者の指示に応じてコンテンツ表示画面ＣＤＳから再生機器一覧画面ＤＬＳに切り替えるとともに、各再生機器２００〜４００に一覧表示制御を実行する。すなわち、表示制御部１２０は、各再生機器２００〜４００に制御信号（タイトル画面表示コマンド）を送信して、それぞれにタイトル画面ＴＳ２００，ＴＳ３００、ホーム画面ＨＳ４００を表示させる。表示制御部１２０は、例えば、再生機器２００〜４００が準拠する機器制御プロトコルがＣＥＣの場合には、User Control PressedコマンドにMedia Top Menuコードを指定して送信し、再生機器２００〜４００が準拠する機器制御プロトコルがＲＣＰの場合には、Root Menu キーIDを指定して送信する。
【００２３】
ステップＳ３００において、各再生機器２００〜４００は、表示制御部１２０から送信された制御信号に応じて、それぞれタイトル画面ＴＳ２００，ＴＳ３００、ホーム画面ＨＳ４００を表示して、表示部１１０の再生機器一覧画面ＤＬＳに一覧表示する。
【００２４】
図６は、コンテンツ表示画面ＣＤＳから再生機器一覧画面ＤＬＳに切り替えた後のフレームメモリー１３０の様子を示す図である。図６に示すフレームメモリー１３０は、図４に示す再生機器一覧画面ＤＬＳの画像データを格納しており、領域Ｄｒ２００が図４のタイトル画面ＴＳ２００に対応する領域であり、領域Ｄｒ３００がタイトル画面ＴＳ３００に、領域Ｄｒ４００がホーム画面ＨＳ４００に、領域Ｄｒ５００がデスクトップ画面ＰＤ５００に対応する領域である。
【００２５】
表示制御部１２０（図２）は、一覧表示制御（図５）を実行した後、図４のタイトル画面ＴＳ２００，ＴＳ３００及びホーム画面ＨＳ４００それぞれに対応する領域Ｄｒ２００〜Ｄｒ４００の更新頻度を、図４のデスクトップ画面ＰＤ５００に対応する領域Ｄｒ５００（他の領域）の更新頻度よりも減少させる。こうすれば、表示機器１００（図２）の表示負荷を低減できる。なお、図４のタイトル画面ＴＳ２００に対応する領域Ｄｒ２００のみの更新頻度を他の領域Ｄｒ３００〜Ｄｒ５００の更新頻度よりも減少させてもよい。但し、これらの領域の更新頻度の減少を実行しなくてもよい。
【００２６】
また、表示制御部１２０がタイトル画面表示コマンドを送信すると、コマンドが正常に受信された場合には各再生機器２００〜４００からＡＣＫ（応答）が表示制御部１２０に送信される。ＡＣＫが送信されなかった場合には、表示制御部１２０がＡＣＫを送信しなかった再生機器の表示画面に対応する領域の更新頻度を維持してもよい。
【００２７】
なお、表示制御部１２０は、表示機器１００に接続された各再生機器２００〜５００が起動するときに、各再生機器２００〜５００が機器制御プロトコルに準拠するか否かを判定するために、各再生機器２００〜５００にポーリングを行う。このポーリングに対する応答があった場合には、当該再生機器が機器制御プロトコルに準拠すると判定する。
【００２８】
以上説明したように、第１実施形態では、表示制御部１２０が表示部１１０においてコンテンツ表示画面ＣＤＳから再生機器一覧画面ＤＬＳに切り替える際に、コンテンツ再生中の再生機器２００にコンテンツのタイトル画面ＴＳ２００を表示させ、タイトル画面ＴＳ２００を含む再生機器一覧画面ＤＬＳを表示部１１０に表示するので、利用者が再生機器一覧画面ＤＬＳでコンテンツの種別情報を取得できる。
【００２９】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３０】
１００…表示機器
１１０…表示部
１２０…表示制御部
１３０…フレームメモリー
１４０…外部インターフェース装置
２００〜５００…再生機器
６００…リモートコントローラー
６１０…再生機器一覧ボタン
９００…スクリーン
ＣＤＳ…コンテンツ表示画面
ＤＬＳ…再生機器一覧画面
Ｄｒ２００〜Ｄｒ５００…領域
ＨＳ４００…ホーム画面
Ｍ２００…映像
ＰＤ５００…デスクトップ画面
ＴＳ２００…タイトル画面
ＴＳ３００…タイトル画面
【図１】
2018186423.tif 000003
【図２】
2018186423.tif 000004
【図３】
2018186423.tif 000005
【図４】
2018186423.tif 000006
【図５】
2018186423.tif 000007
【図６】
2018186423.tif 000008